(57)【要約】【課題】収容容器内のシート片及びシート状のままの物品の全シート片枚数を目視により常時確認できるようにし、多数の種類の物品を手作業で取り間違いを起こさずに扱える物品管理装置を提供する。【解決手段】区画された複数の空間を有する箱本体１０と、この箱本体１０の各空間に設けられる複数の収容容器１１と、各収容容器１１に取付けられ、集合シート状の物品のシート片の枚数の情報をそれぞれが表示する複数の表示部１２と、これらの表示部１２が表示する物品の種類およびシート片の枚数の情報を上位装置２から通知される通信部２３と、この通信部２３に電力を供給する電源部７と、この電源部７より電力を供給され、通信部２３からの情報を複数の表示部１２のいずれかに送信する制御部６と、を備え、この制御部６は、上位装置２からの要求により、複数の収容容器１１のうちのいずれかの表示部１２の表示内容を変更制御する。【選択図】図１
2011180981.tif 000002
【特許請求の範囲】
【請求項１】
区画された複数の空間を有する箱本体と、
この箱本体の各空間に設けられる複数の収容容器と、
各収容容器に取付けられ、複数のシート片から成る集合シート状の物品の前記シート片の枚数の情報をそれぞれが表示する複数の表示部と、
これらの表示部が表示する前記物品の種類、および前記シート片の枚数の情報を上位装置から通知される通信部と、
この通信部に電力を供給する電源部と、
この電源部より電力を供給され、前記通信部からの情報を前記複数の表示部のいずれかに送信する制御部と、を備え、
この制御部は、前記上位装置からの要求により、前記複数の収容容器のうちのいずれかの前記表示部の表示内容を変更制御することを特徴とする物品管理装置。
【請求項２】
前記複数の収容容器には前記電源部により電力を供給される発光素子が更に設けられ、
前記通信部が前記上位装置から前記物品の販売の要求を通知されると、前記制御部は、前記販売を要求された種類の前記物品が収納された前記収容容器の前記発光素子の発光を制御し、収容容器位置の視覚的誘導を行うことを特徴とする請求項１記載の物品管理装置。
【請求項３】
前記通信部は前記上位装置から、各表示部を識別する表示部識別情報、前記箱本体の識別情報、販売員、前記物品の前記シート片の販売数実績、前記シート片の在庫数を含む各種情報を受信し、前記制御部は前記各種情報を用いて前記物品管理装置が実行する複数の機能のそれぞれを管理することを特徴とする請求項１記載の物品管理装置。
【請求項４】
前記複数の収容容器には前記電源部により電力を供給される発光素子が更に設けられ、
前記通信部が前記上位装置から前記各種情報を受信すると、前記制御部は前記各種情報に基づいて、前記発光素子の発光を制御することを特徴とする請求項３記載の物品管理装置。
【発明の詳細な説明】
【技術分野】
【０００１】
本発明は物品管理装置に関する。
【背景技術】
【０００２】
郵便局は切手類管理棚（以後、切手箱と呼ぶ）を使用し、多数の引出しを用いて切手類を管理している。切手箱には、切手や印紙が額面及び図柄の違いにより種類ごとに入れられており、販売数量、在庫数量などが管理されている。窓口担当職員は毎日業務前に切手シートと、各切手シートの数量とを種類ごとに確認しながら各引出しに収納し、その後、窓口にて顧客が希望する切手類をいずれかの引出しから必要枚数取出して販売している。
【０００３】
そして、各引出しに入っている切手類の枚数は人の手によって数えられており、従来、枚数の計数や管理の補助として切手類管理用ファイル（特許文献１参照）や物品管理用具（特許文献２参照）などの補助具を使った切手枚数の計数方法が知られている。切手類管理用ファイルや物品管理用具は、切手類シートを挟持収容する表側シート部及び裏側シート部と、この表側シート部の表側に設けられ切手枚数を明示する在庫情報表示部とを有し、販売して減った切手単片の枚数を分かりやすくするために切手シート中の総数から減じた残りの単片枚数を表示するものであり、金額を表示して計数の効率化を図っている。また、切手の自動払い出しを行う切手販売装置も知られている（特許文献３参照）。特許文献３は、切手販売装置が選択した切手の枚数をシートから切り離して発行することで枚数を管理する点を開示する。これらの特許文献１から３に記載の技術は切手を数枚だけ販売する形態には有効である。
【先行技術文献】
【特許文献】
【０００４】
【特許文献１】特許第２９２６０３７号公報
【特許文献２】特許第３６１６５５８号公報
【特許文献３】特開平１１−２８３１０２号公報
【発明の概要】
【発明が解決しようとする課題】
【０００５】
しかしながら、特許文献１、２に記載の技術では、郵便局のように頻繁に多数の切手類を扱う場所において、シートを多数消費することとなり、切手シートから切り離された切手を元の引出しに戻す事ができないなどの問題点が存在する。
【０００６】
例えば１００円の印紙の引出しと、１０００円の印紙の引出しとを間違え、１００円印紙ではなく１０００円印紙を取るという取り間違えが起きると、実販売数量、実在庫枚数がそれぞれ計算上の販売枚数、理論在庫数と一致しない状況を招く。
【０００７】
そこで、本発明は、上記の課題に鑑み、複数のシート片から成る集合シート状の物品を、この物品の種類ごとにそれぞれ別々の引出しに収納して現物管理する装置に関し、引出し内に切り離されたシート片及びシート状のままの物品の全シート片枚数を目視により常時確認できるようにし、多数の種類の物品を手作業で取り間違いを起こさずに取り扱うことを可能とする物品管理装置を提供することを目的とする。
【課題を解決するための手段】
【０００８】
このような課題を解決するため、本発明の一態様によれば、区画された複数の空間を有する箱本体と、この箱本体の各空間に設けられる複数の収容容器と、各収容容器に取付けられ、複数のシート片から成る集合シート状の物品の前記複数のシート片の枚数の情報をそれぞれが表示する複数の表示部と、これらの表示部が表示する前記物品の種類、および前記シート片の枚数の情報を上位装置から通知される通信部と、この通信部に電力を供給する電源部と、この電源部より電力を供給され、前記通信部からの情報を前記複数の表示部のいずれかに送信する制御部と、を備え、この制御部は、前記上位装置からの要求により、前記複数の収容容器のうちのいずれかの前記表示部の表示内容を変更制御することを特徴とする物品管理装置が提供される。
【発明の効果】
【０００９】
本発明によれば、収容容器に収納されるシート状の物品の全てのシート片の枚数を目視により常時確認できるようになり、多数の種類の物品を手作業で取り間違いを起こさずに取り扱うことが可能となる。
【００１０】
一例として販売しようとする複数枚の切手単片からなる切手類シートが何処の引出しに在処しているかを、ＬＥＤの点灯のように視覚な案内が出されることで確認できるようになり、引出しを捜す時間の短縮、取出す引出しの間違いを低減することができるようになる。表示内容可変の表示機能が引出しに付加されたことにより、理論在庫枚数の確認が容易に行えるようになる。
【図面の簡単な説明】
【００１１】
【図１】本発明の実施の形態に係る物品管理装置を含む切手類販売管理システムの構成図である。
【図２】物品管理装置の正面図である。
【図３】物品管理装置に設けられる表示部の拡大図である。
【図４】箱本体の内部側方断面構造を示す図である。
【図５】制御部のブロック図である。
【図６】切替え後の表示部の表示例を示す図である。
【発明を実施するための形態】
【００１２】
以下、本発明の実施の形態に係る物品管理装置について、図１乃至図６を参照しながら説明する。尚、各図において同一箇所については同一の符号を付すとともに、重複した説明は省略する。
【００１３】
本発明の実施の形態に係る物品管理装置は、郵便切手、収入印紙、特許印紙といった切手類を収納する複数段の引出しを有し、これらの引出しごとに切手シートを含む切手単片の総枚数を管理する切手類管理棚である。この切手類管理棚は切手類販売管理システムに用いられる。切手類販売管理システムは、郵便局の窓口において現物である切手（シート片）及び集合シート状の切手シート（物品）の切手枚数及びシート枚数を計数し、額面や図柄により異なる切手種類ごとの切手枚数及びシート枚数の集計と、切手シートの補充などの業務を行うシステムである。
【００１４】
図１は切手類管理棚を含む切手類販売管理システムの構成図である。図２は切手類管理棚の正面図である。図３は切手類管理棚に設けられる表示部の拡大図である。これらの図中、同じ符号を持つ要素は互いに同じ要素を表す。
【００１５】
切手類販売管理システム１は、切手類の販売管理用の上位装置である窓口端末機２と、この窓口端末機２とネットワーク３により接続されたタグサーバ４と、窓口端末機２に有線ケーブル５により接続され以下に述べる制御部６及び電源部７を設けた切手類管理棚８（本実施形態に係る物品管理装置）とを備える。切手類管理棚８は、制御部６に接続されたアンテナ９を内部下方又は外部下方に設けた切手箱本体１０（箱本体）と、それぞれこの切手箱本体１０の内部空間を上下複数段に画成する複数段の引出し１１（収容容器）と、これらの引出し１１にそれぞれ設けられ窓口端末機２から送られる切手種類や在庫枚数を表示する複数の表示部１２と、窓口端末機２からのデータを無線変調して表示部ＩＤ及び切手枚数を含む無線信号をこれらの表示部１２のいずれか一以上に送信する制御部６と、各表示部１２及び制御部６へ電力を供給する電源部７とを備える。
【００１６】
窓口端末機２はパソコンであり、ハードディスクドライブなどの記憶装置２５を備える。この記憶装置２５には、各表示部１２を識別する表示部ＩＤと、これらの表示部１２が貼設される引出し１１を識別する引出しＩＤとを対応付ける対応関係の情報が記憶されている。この対応関係は予め登録される。この記憶装置２５には、切手類の販売及び補充等の各種業務を実行するための各種プログラムや各種データと、切手類管理棚８の各種切手類の理論在庫枚数や販売数及び補充履歴等の各種データと、各引出し１１に収容されている全ての切手及び切手シートの種類、表示部１２用の必要な初期値データなどが保持されている。タグサーバ４には、窓口端末機２が複数設けられる場合、ネットワーク３を介して各窓口端末機２との間でデータを送受信する。
【００１７】
各引出し１１は、切手箱本体１０の前面に引き出される位置と、切手箱本体１０内に収められる位置との間で動かされる。各引出し１１がいずれの位置であってもそれぞれの表示部１２はアンテナ９からの無線信号を受信可能な位置に配置されている。
【００１８】
図２、図３に示すように、表示部１２は棚札としての役目を持つ表示画面１３と、ＬＥＤ１４（発光素子）と、無線信号を復調して表示用のデータを出力し、この出力を表示画面１３に表示させるＩＣ回路などの受信処理回路２６とを有する。表示画面１３にはＬＣＤや電子ペーパが用いられる。窓口端末機２から引出し１１を特定する選択信号が送られたときにＬＥＤ１４を受信処理回路２６は点灯あるいは点滅駆動する。受信処理回路２６は、検波した信号から表示部１２のＩＤ情報を識別し、表示部１２自身宛のＩＤかどうかを判定する。受信処理回路２６は、自身のＩＤであると判定すると、復調したデータをＲＡＭに記憶し、表示データを表示画面１３に表示させる。表示部１２、ＬＥＤ１４、受信処理回路２６へは例えば有線を介して電力が供給される。
【００１９】
図４は切手箱本体１０の内部側方断面構造を示す図であり、図１の矢印Ａ方向から見たこの切手箱本体１０の下方の要部が示されている。既述の符号はそれらと同じ要素を表す。
【００２０】
電源部７は、整流ダイオードやキャパシタを有し、商用交流電源から供給される交流電圧を直流電圧に変換し、各表示部１２及び制御部６への直流電圧を生成し、これらの表示部１２及び制御部６のそれぞれに電力を分配する。
【００２１】
電力分配の構成の一例として、切手箱本体１０の奥行き側の背板の前面に電力を伝送する伝送線１５が設けられている。それぞれ容器状の各引出し１１の背面にはパッド電極１６が取付けられ、各パッド電極１６はこれらの引出し１１の側面上に取付けられた導体パターン１７に接触し、これらの各導体パターン１７には表示部１２の端子電極が接続されている。また、各パッド電極１６と、切手箱本体１０の背板側との間には、薄板を屈曲加工されて形成された電極板１８が設けられている。この電極板１８の弾性復元力により各電極板１８が各引出し１１の背部に圧接し、電源部７からの電力が各表示部１２へ供給されるようになっている。各電極板１８による弾性復元力は、切手箱本体１０の側壁内側から内方へと突起した複数個の図示しない突起物と引出し１１の底面あるいは側面とが摺動接触して生じる摩擦力よりも小さくされている。
【００２２】
各引出し１１に切手及び切手シートが収納された状態で、引出し１１が奥行きまで押し込まれると電極板１８がパッド電極１６に圧着し、表示部１２はパッド電極１６を介して供給された電力によってＬＥＤ１４が点灯する。この電力を電源として表示部１２は電波を受信し、自身宛ての表示部ＩＤ情報を取得して、切手種類と、在庫枚数を表示する。また、引出し１１が切手箱本体１０の前面側に引き出されたときは、電極板１８がパッド電極１６から離れ、電力の供給が遮断され、表示部１２の表示と、ＬＥＤ１４の点灯はともに停止する。
【００２３】
表示データの伝送系統の構成を図５に示す。図５は制御部６のブロック図であり、制御部６に入出力される要素も示されている。同図中、既述の符号はそれらと同じ要素を表す。制御部６は、通信及び制御の手順を既述したプログラムを記憶するＲＯＭ１９と、ＣＰＵ２０と、ＣＰＵ２０の作業用のＲＡＭ２１と、ＣＰＵ２０と窓口端末機２との信号のインターフェースを行うインターフェース部２２と、例えば無線送受信回路などの入出力部２３（通信部）とを備える。ＲＡＭ２１が各表示部１２の表示部識別ＩＤと、切手種類との対応関係を記憶するように構成してもよい。インターフェース部（Ｉ／Ｆ部）２２は有線ケーブル５から信号を受信する。入出力部（Ｉ／Ｏ）２３と表示部１２との間の伝送路２４はアンテナ９を含む無線伝送路である。入出力部２３は電源部７から電力を供給される。入出力部２３と、アンテナ９と、表示部１２内の受信処理回路２６とによって通信部の機能が実現する。
【００２４】
図５の制御部６により、切手類管理棚８は、上位の窓口端末機２からの要求によって、切手枚数の図柄や切手種類を変更させながら各引出し１１の表示部１２の表示制御を行う。切手類管理棚８は、窓口端末機２と通信することによって、販売を要求された切手が入っている引出し１１をＬＥＤ１４など視覚によって示し、引き出されるべき引出し１１の間違いを低減させる。窓口端末機２は窓口の担当者により操作され、切手の販売が行われると、窓口端末機２からの更新データを制御部６は受け付ける。制御部６は該当する引出し１１の表示部１２に対してＬＥＤ１４の点灯の駆動や表示部１２の表示内容の切替えを実行する。
【００２５】
また、切手類販売管理システム１が複数の切手類管理棚８と、複数の窓口端末機２とを設ける場合、これらの切手類管理棚８がそれぞれ窓口端末機２と個別に通信可能にされる。この場合、各窓口端末機２には予め個別ＩＤを付与される。窓口端末機２と、切手類管理棚８と、担当者との間の対応付けがタグサーバ４に予めソフトウェアにより登録される。一台の切手類管理棚８は、これに割当てられた一台の窓口端末機２との通信によって表示部１２の棚札ＩＤ、この切手類管理棚８を識別する切手箱番号、販売員、販売数、在庫などを、この窓口端末機２からダウンロードされるようになっている。
【００２６】
切手類管理棚８は、窓口端末機２との通信制御、各表示部１２の表示制御、窓口端末機２からの更新データによって各表示部１２の表示情報の切替え、ＬＥＤ１４の点灯の駆動など、従来例と異なり複数の機能を実現可能になっている。切手類を在庫する機能のみならず、販売すべき棚段を人に教える機能など複数多機能を本実施形態に係る切手類管理棚８は有する。
【００２７】
このような構成の切手類管理棚８に搭載された電源部７と制御部６とによって電源コンセントから商用交流電源が供給される。電源エネルギーは電源部７により制御部６及び各表示部１２で使用される電源に変換され、変換された電力は制御部６に供給される。制御部６は、電源部７から供給された電力により各表示部１２の制御及び上位端末である窓口端末機２との通信を制御する。
【００２８】
窓口端末機２を使って担当者が切手販売を行うと、窓口端末機２は制御部６へ更新データを下り送信する。制御部６は更新データの受付を行い該当する引出し１１の表示部１２に対しＬＥＤ１４の点灯や表示の切替えを行う。図６に切替え後の表示部１２の表示例を示す。
【００２９】
職員は予め、業務開始前に各引出し１１と、これらの引出し１１の内容物との整合を取る作業を行う。例えば左側一番上段の引出し１１には５０円切手が１０００枚、その直下の引出し１１には８０円切手が５００枚といった情報を窓口端末機２へ入力する。窓口端末機２からデータが伝送され、タグサーバ４及び切手類管理棚８の制御部６に、引出し１１ごとの切手総枚数がセットされる。タグサーバ４及び切手類管理棚８への切手枚数の位置づけは引出し１１に取付けられた表示部１２に固有の番号を割当てておき、この番号を使って切手の在庫数を管理するようにしてもよい。
【００３０】
それぞれ５０円切手、８０円切手が入れられる２つの引出し１１の前日の切手在庫数を担当者が手で数えて窓口端末機２に各切手在庫数を打込み、窓口端末機２は５０円切手、８０円切手の理論在庫数として５０円切手が１０００枚などを記憶する。業務開始前、窓口端末機２は、５０円切手用の表示部１２には、１０００枚である旨を表示させる。顧客から５０円切手を１０枚注文されると、担当者は、窓口端末機２に対し、５０円切手の販売枚数を１０枚と入力する。窓口端末機２は切手類管理棚８を呼び、切手類管理棚８はこの入力に応じてＬＥＤ１４を点灯させる。担当者は、複数段の引出し１１のうち、光った位置の引出し１１から５０円切手を出す。制御部６のＲＯＭ１９に予め設定した時間が経過した場合、あるいは、担当者が販売終了直後にキーを押下することにより制御部６からその表示部１２に更新指令信号が通知され、１０００枚を表示していた表示内容は９９０枚に変わる。
【００３１】
切手類の販売などの取り扱いを顧客から担当者に要求された場合、担当者は窓口端末機２を操作するため、窓口端末機２は販売品である一種又は複数種の切手を販売し、販売しようとする種類の切手の枚数を入力し、その都度、情報が下り送信される。切手販売枚数によって変わった更新データが通知される。取り扱い物品が入った引出し１１の表示部１２のＬＥＤ１４が点灯し、その引出し１１から必要枚数を取出すことで間違いが防止される。窓口端末機２が顧客に受領証を発行することで一連の販売動作が終了し待機状態に戻る。
【００３２】
郵便局では業務開始前、窓口で担当者が数えた実在庫枚数をタグサーバ４のデータベースへ入力する手順を実施している。例えば１００円の印紙が１００枚であるという理論在庫数がデータベースに登録されている。業務の最中、１００円印紙を販売する度に販売枚数をデータベースへ通知すると、業務終了終、データベースでは１００円印紙の販売枚数実績は１０枚を示す。担当者は引出し１１の１００円印紙の残り枚数が９０枚であることを実際に数える。この作業では過不足金が発生することがある。この過不足金が発生する理由は主に実販売数量、実在庫枚数がそれぞれ通知された販売枚数、計算された理論在庫数と違うからである。不一致の原因の一つとして、例えば１００円の印紙の引出し１１と、１０００円の印紙の引出し１１とを間違え、１００円印紙ではなく１０００円印紙を担当者が取出すという取り間違えが考えられる。本実施形態に係る切手類管理棚８では、ＬＥＤ１４により担当者が適切な引出し１１に誘導される。従って担当者が切手類を取り間違えることがなくなる。
【００３３】
このように、本実施形態に係る切手類管理棚８によれば、引出し１１内に切り離されたシート片及びシート状のままの物品の全シート片枚数を目視により常時確認できるようにし、担当者は、多数の種類の物品を手作業で取り間違いを起こさずに取り扱うことが可能になる。販売回数が頻繁になった状況でも間違いの発生が起こらないようにすることができる。
【００３４】
（変形例）
上記実施形態の変形例について述べる。
【００３５】
電源部７及び制御部６を、切手箱本体１０の底部に置く代わりに切手箱本体１０の上面や背面、側面に配置してもよい。電源部７は、交流電源でなく直流電源でも上記実施形態の例と同等の効果を得られる。電源部７は整流回路を内蔵する代わりに、電力を分岐する回路を設けておき、商用交流電源に接続されるＡＣアダプタから直流電圧を供給されるようにしてもよい。各表示部１２への電源供給は電池駆動式でもよい。
【００３６】
また、制御部６から各表示部１２への表示データの転送に用いられる無線伝送路の無線インターフェースは、ＲＦＩＤのほかに、例えばＺｉｇｂｅｅ（登録商標）、無線ＬＡＮなどの無線通信方式を用いることができる。
【００３７】
また、入出力部２３と表示部１２との間の伝送路２４は無線伝送路であるが、アンテナ９等の無線伝送路の代わりに有線伝送路を構築してもよい。例えば図４の伝送線１５に信号用の信号ハーネスを這わせること等によって、信号伝送可能である。
【００３８】
また、各表示部１２に無線タグを用いるとともに、制御部６に無線リーダ／ライタを接続することによって、各表示部１２は電磁誘導作用による発電を行って動作することができる。
【００３９】
各表示部１２は引出し１１に対して取り外し可能になっており交換や保守が可能である。
【００４０】
制御部６と窓口端末機２との間の通信はＬＡＮ（有線、無線）、ＵＳＢ、ＲＳ−２３２Ｃ、ＲＳ−４２２などのシリアル通信を用いることができる。
【００４１】
また、上記の実施形態では、取り扱いされる対象の物品は切手であったが、収入印紙、特許印紙といった印紙を対象としてもよい。あるいは自動車重量税印紙、雇用保険印紙、自動車検査登録印紙、健康保険印紙及び登記印紙等の印紙にも本発明は適用可能である。これらの印紙は額面に応じて複数の種類を有し、それぞれ別個の物品計数装置の引出しに収納されて管理される。
【００４２】
ＬＥＤ１４の色を機能ごとに分けて変えることもできる。あるいはＬＥＤ１４の点滅のパターンを機能ごとに変えることもできる。これにより、担当者に、残り枚数が少なくなっていることなどを通知することができる。
【００４３】
表示部９が切手種類を入力された際、表示画面１３を点滅させて、担当者に注意を促すようにしてもよい。
【００４４】
各引出し１１と、切手箱本体１０との間の開閉をロックするロック機構を設けることによって、担当者が窓口端末機２に切手種類を入力すると、入力された切手種類を保管する引出し１１だけロックが解除されるようにしてもよい。ＬＥＤ１４による誘導に加えて、ロック機能を設けることによって一層間違えの発生を防止することができる。複数の引出し１１を切手箱本体１０から取出して補充した後、これらの引出し１１を戻す際に、仮に間違って戻してしまったとしても、ロック機構により誤って切手類が取出されることがなくなる。
【００４５】
図４の電極や接点の構造は一例であり、各引出し１１の表示部１２と、制御部６及び電源部７との間の接触の仕方は種々変更可能である。図４の接触の仕方を変更して実施したに過ぎない発明に対しても本発明の優位性は何ら損なわれるものではない。
【００４６】
表示部１２に大容量のキャパシタを設けておき、このキャパシタに電荷を溜め込みして表示時間を延ばすこともできる。周知の無線通信方式の代わりに独自の無線方式によって、送受信プロトコルを簡素化でき、データ転送量を減らすこともできる。切手類管理棚１０及び窓口端末機２間の伝送路についても同様である。
【００４７】
本発明は、切手のみならず、郵便局で取り扱われるはがきなどの小物や文房具品、小型物品を収納することもできる。
【００４８】
以上詳述したように、切手類管理棚８を導入することによって、販売しようとしている切手類が何処の引出し１１に何処に在処しているかを、ＬＥＤ１４を点灯させることで視覚による案内表示が出される事によって確認でき、引出し１１を担当者が捜す時間を短縮することができるようになる。取出すべき引出し１１の間違いを低減させることができるようになる。また引出し１１に表示内容可変の表示機能が付加されたことにより、理論在庫枚数の確認が容易にできるようになる。
【００４９】
（その他）
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００５０】
１…切手類販売管理システム、２…窓口端末機（上位装置）、３…ネットワーク、４…タグサーバ、５…有線ケーブル、６…制御部、７…電源部、８…切手類管理棚（物品管理装置）、９…アンテナ、１０…切手箱本体（箱本体）、１１…引出し（収容容器）、１２…表示部、１３…表示画面、１４…ＬＥＤ（発光素子）、１５…伝送線、１６…パッド電極、１７…導体パターン、１８…電極板、１９…ＲＯＭ、２０…ＣＰＵ、２１…ＲＡＭ、２２…インターフェース部、２３…入出力部（通信部）、２４…伝送路、２５…記憶装置、２６…受信処理回路。
【図１】
2011180981.tif 000003
【図２】
2011180981.tif 000004
【図３】
2011180981.tif 000005
【図４】
2011180981.tif 000006
【図５】
2011180981.tif 000007
【図６】
2011180981.tif 000008